(57)【特許請求の範囲】
【請求項１】
太陽電池パネル複合体において、
入光面を有する太陽電池パネルと、
前記太陽電池パネルの前記入光面側に設けられたシート本体と、このシート本体の前記太陽電池パネルと反対側の面に設けられた複数の絵柄領域を含む絵柄部とを有する絵柄シートと、
前記シート本体の前記太陽パネル側の面に設けられ、複数の拡散要素を含む拡散部とを備え、
前記拡散部は、前記拡散要素として単位プリズムまたは単位レンズを有し、
前記太陽電池パネル複合体をその法線方向からみたとき、前記拡散要素は前記絵柄領域間に位置し、前記絵柄領域間に位置する当該拡散要素により拡散された光を前記絵柄領域の背面側の太陽電池パネルの入光面のうち前記絵柄領域の幅の半分の位置まで導くことを特徴とする太陽電池パネル複合体。
【請求項２】
前記太陽電池パネルの前記入光面に、前記拡散部とは別体の拡散層が設けられていることを特徴とする請求項１記載の太陽電池パネル複合体。
【請求項３】
前記拡散部の前記拡散要素は一定のピッチで等間隔をおいて配置されていることを特徴とする請求項１または２記載の太陽電池パネル複合体。
【発明の詳細な説明】
【技術分野】
【０００１】
本発明は、複数の絵柄領域を含み、太陽電池パネルによる発電も行うことが可能な太陽電池複合体に関する。
【背景技術】
【０００２】
従来より、太陽電池複合体の一例として、太陽電池パネルと、太陽電池パネルの入光面側に設けられ、複数の絵柄領域を含む絵柄シートとを備えたものが知られている。
【０００３】
一般に太陽電池パネルの入光面は濃紺色や黒色の単一色であるため、絵柄シートの絵柄領域によって太陽電池パネルの入光面を隠すことができる。
【０００４】
しかしながら、太陽電池パネルの入光面側に絵柄シートを設けた場合、絵柄領域の背面側に光が十分に行き渡らない場合があり、この場合は太陽電池パネル全体に出力のアンバランスが生じる。このような場合、とりわけ太陽電池パネルのうち絵柄領域の背面に対応する部分に光が行き渡らないため、この部分が抵抗となって加熱されて、いわゆるホットスポットを生じさせ、太陽電池パネル全体としての出力も低下する。
【先行技術文献】
【特許文献】
【０００５】
【特許文献１】特許４０８６２０６号明細書
【発明の概要】
【発明が解決しようとする課題】
【０００６】
本発明は、以上の点を考慮してなされたものであり、太陽電池パネルと、複数の絵柄領域を含む絵柄部を有するとともに、太陽電池パネルの出力のアンバランスを生じさせることなく、かつ太陽電池パネル全体としての出力低下を抑えることができる太陽電池複合体を提供することを目的とする。
【課題を解決するための手段】
【０００７】
本発明は、太陽電池パネル複合体において、入光面を有する太陽電池パネルと、前記太陽電池パネルの前記入光面側に設けられ、複数の拡散要素を含む拡散部と、前記太陽電池パネルの前記入光面側に設けられ、複数の絵柄領域を含む絵柄部とを備え、前記太陽電池パネル複合体をその法線方向からみたとき、前記拡散要素は前記絵柄領域間に位置して当該拡散要素により拡散された光を前記絵柄領域の背面側の太陽電池パネルの入光面へ導くことを特徴とする太陽電池パネル複合体である。
【０００８】
本発明は、前記拡散部は、前記太陽電池パネルと前記絵柄部との間に配置されていることを特徴とする太陽電池パネル複合体である。
【０００９】
本発明は、前記拡散部は、前記拡散要素として単位プリズムまたは単位レンズを有することを特徴とする太陽電池パネル複合体である。
【００１０】
本発明は、前記太陽電池パネルの前記入光面に、拡散層が設けられていることを特徴とする太陽電池パネル複合体である。
【００１１】
本発明は、前記拡散部の前記拡散要素は一定のピッチで等間隔をおいて配置されていることを特徴とする太陽電池パネル複合体である。
【発明の効果】
【００１２】
本発明によれば、拡散部の拡散要素により光を拡散させて絵柄領域の背面側の太陽電池パネルの入光面に導くことができる。このことにより太陽電池パネルの出力のアンバランスを生じさせることなく、かつ太陽電池パネル全体としての出力低下を抑えることができる。
【図面の簡単な説明】
【００１３】
【図１】図１（ａ）は、本発明による太陽電池複合体の第１の実施の形態を示す断面図であり、図１（ｂ）はその平面図である。
【図２】図２は、本発明による太陽電池パネル複合体の第２の実施の形態を示す断面図である。
【図３】図３は、本発明による太陽電池パネル複合体の第３の実施の形態を示す断面図である。
【図４】図４は、本発明による太陽電池パネル複合体の第４の実施の形態を示す断面図である。
【図５】図５は、本発明による太陽電池パネル複合体の第５の実施の形態を示す断面図である。
【発明を実施するための形態】
【００１４】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１５】
＜第１の実施の形態＞
図１（ａ）（ｂ）は、本発明の第１の実施の形態を説明するための図である。
【００１６】
ここで説明する太陽電池複合体１０は、文字、図形、絵等（以下、絵柄）からなる複数の絵柄領域１２ａを含む絵柄シート（絵柄部）１２を有し、太陽電池パネル５０による発電も行うことが可能なパネル状の部材である。絵柄シート１２は、光を透過する光透過性のシート本体１２ｂと、これらを組み合わせた面である。シート本体１２ｂの一方の面に設けられた複数の絵柄領域１２ａとを有する。光は、可視光だけでなく赤外線から紫外線までを含む意味である。光の作用や性質としては、例えば、光の直進、屈折、反射、吸収、発光、干渉、および偏光などが挙げられる。
【００１７】
図１（ａ）（ｂ）に示すように、太陽電池複合体１０は、入光面５０ａを有する太陽電池パネル５０と、太陽電池パネル５０の入光面５０ａ側に設けられ、シート本体１２ｂと、シート本体１２ｂの一方の面（太陽電池パネル５０と反対側の面）に設けられた複数の絵柄領域１２ａとを有する絵柄シート１２とを備えている。
【００１８】
また、絵柄シート１２のシート本体１２ｂの他方の面（太陽電池パネル５０側の面）に、複数の単位レンズ（拡散要素）１３ａを含む拡散板（拡散部）１３が設けられている。さらにまた、太陽電池パネル５０の入光面５０ａ上に拡散層１５が設けられている。
【００１９】
なお、絵柄シート１２のシート本体１２ｂとしては、単一の光透過性フィルムに限らず、発色層１２ｃを印刷した光透過性フィルムを用いてもよい。この場合、発色層１２ｃは、印刷を良好に見せるために、絵柄領域１２ａの下部のみに形成することができる。ところで、絵柄シート１２の絵柄領域１２ａは、平面から見た場合、ストライプ状に形成されている（図１（ｂ）参照）。このように絵柄シート１２にストライプ状の絵柄領域１２ａを設けることにより、印刷により絵柄領域１２ａを容易かつ簡単に設けることができる。ストライプ状に形成された絵柄領域１２ａは、絵柄シート１２全体の面積に対して、１０〜９０％、好ましくは２０〜６０％の面積を占め、このような範囲の面積を占めることにより、絵柄領域１２ａの見栄えを良くすることができ、かつ絵柄領域１２ａにより、太陽電池パネル５０の入光面５０ａを効果的に覆い隠すことができる。さらにまた、後述する拡散板１３の単位レンズ１３ａにより、光を拡散させた場合、絵柄領域１２ａの幅の半分の位置まで光を拡散させることが好ましい。
【００２０】
また図１（ａ）（ｂ）に示すように、太陽電池パネル５０は、太陽電池パネル５０の入光面５０ａへ入射する光を受光して発電を行なう。
【００２１】
この場合、太陽電池パネル５０の入光面５０ａは、濃紺色や黒色の単一色（成膜や結晶化の状態で単一色ではなく、まだら模様や色ムラがあるものも含む）からなり、環境になじまない色をもつ。
【００２２】
さらにまた、拡散板１３の各単位レンズ１３ａは、絵柄シート１２に一定のピッチＰをもって等間隔で配置されており、太陽電池パネル複合体１０をその法線方向Ｎからみたとき、いくつかの単位レンズ１３ａは絵柄領域１２ａ間に配置されている。そして単位レンズ１３ａを通る光は、この単位レンズ１３ａにより拡散され、単位レンズ１３ａにより拡散された光が太陽電池パネル５０の入光面のうち絵柄領域１２ａの背面側へ導びかれる。
【００２３】
ところで、絵柄シート１２の絵柄領域１２ａとしては、上記の様なストライプ状のものに限らず、その他の図形、パターン、デザイン、色彩、絵、写真、キャラクターなどの絵柄（イメージ）や、文字、マーク、数字などの情報を例示することができる。
【００２４】
なお、本明細書において、「シート」、「板」等の用語は、呼称の違いのみに基づいて、互いから区別されるものではない。したがって、例えば、「シート」はフィルムや板とも呼ばれ得るような部材も含む概念である。
【００２５】
また、本明細書において、「シート面（フィルム面、板面、パネル面）」とは、対象となるシート状の部材を全体的かつ大局的に見た場合において対象となるシート状部材の平面方向と一致する面のことを指す。以下に説明する実施の形態においては、太陽電池複合体１０のパネル面、絵柄シート１２のシート面、拡散板１３の板面並びに、太陽電池パネル５０のパネル面は、互いに並行となっている。さらに、本明細書において、シート状（フィルム状、板状、パネル状）の部材に対して用いる「法線方向」とは、当該部材のシート面への法線方向のことを指す。
【００２６】
また拡散板１３の各単位レンズ１３ａは、第１軸方向ｄ１に沿って並んでいる。各単位レンズ１３ａは、その光軸ｏｄが互いに平行となるようにして、並べられている。とりわけ図示された例において、単位レンズ１３ａは、その光軸ｏｄが、太陽電池パネル複合体１０の法線方向Ｎと平行となるよう配置されている。なお、単位レンズ１３ａの光軸ｏｄは太陽電池パネル複合体１０の法線方向Ｎと必ずしも平行となっていなくともよい。
【００２７】
複数の単位レンズ１３ａを含む拡散板１３は、図１に示すように、いわゆるレンチキュラーレンズ乃至シリンドリカルレンズを構成している。すなわち、各単位レンズ１３ａは、その配列方向である第１軸方向ｄ１に対して交差する方向に（図１の紙面に直交する方向に）線状に延びている。とりわけ図示された例において、単位レンズ１３ａは、第１軸方向ｄ１及び法線方向Ｎの両方と直交する紙面に直交する方向に、直線状に延びている。また、拡散板１３の複数の単位レンズ１３ａは、互いに同一に構成されている。
【００２８】
各単位レンズ１３ａは、凸レンズ状のレンズ面１３ｂを有し、絵柄シート１２から法線方向Ｎに向かって突出している。このレンズ面１３ｂは、光軸ｏｄを中心として対称となっている。図１に示すように、各単位レンズ１３ａは、絵柄シート１２から出射する、例えば、平行光束を拡散させ、このように各単位レンズ１３ａから拡散された光を、絵柄領域１２ａの背面を含む太陽電池パネル１０の略全域に拡散層１５を介して導くようになっている。
【００２９】
次にこのような構成からなる本実施の形態の作用について説明する。
【００３０】
まず、図１（ａ）（ｂ）に示す太陽電池パネル複合体１０において、太陽電池パネル５０の入光面５０ａ側に絵柄シート１２が設けられているため、太陽電池パネル５０の濃紺色や黒色からなる入光面５０ａを絵柄シート１２の絵柄領域１２ａにより覆い隠すことができる。
【００３１】
一方、太陽電池パネル複合体１０に法線方向Ｎに沿って入光する平行光は、絵柄シート１２の絵柄領域１２ａにより遮光されるとともに、光透過性のシート本体１２ｂを透過して拡散板１３に入る。
【００３２】
平行光はこの拡散板１３の各単位レンズ１３ａにより拡散されて、太陽電池パネル５０の入光面５０ａに拡散層１５を介して入光する。
【００３３】
この場合、拡散板１３の単位レンズ１３ａにより拡散された光は太陽電池パネル５０の入光面５０ａのうち、絵柄領域１２ａで遮蔽されない領域および絵柄領域１２ａの背面側の領域を含む略全域に導びかれる。
【００３４】
一般に、太陽電池パネル５０の入光面５０ａ全域に光が入射しない場合、光が入射しない部分が抵抗となり、太陽電池パネル５０全体としての出力が低下するとともに、光が入射しない部分が抵抗となって加熱し、劣化の原因となる。
【００３５】
これに対して本実施の形態によれば、拡散板１３の単位レンズ１３ａにより拡散された光を、太陽電池パネル５０の入光面５０ａのうち絵柄領域１２ａで遮蔽されない領域および絵柄領域１２ａの背面側の領域を含む全領域に導くことができる。このため、太陽電池パネル５０全体としての出力低下を防ぐことができ、遮光部による劣化の問題も解消することができる。
【００３６】
＜第２の実施の形態＞
次に図２により本発明の第２の実施の形態について説明する。
【００３７】
図２に示す第２の実施の形態は、複数の単位レンズ１３ａを含む拡散板１３の代わりに、複数のプリズム（拡散要素）２３ａを含む拡散板（拡散部）２３を設けたものであり、他の構成は図１に示す第１の実施の形態と略同一である。
【００３８】
図２に示すように、拡散板２３は複数のプリズム（拡散要素）２３ａを含んでいる。また拡散板２３の各プリズム２３ａは第１軸方向ｄ１に沿って並んでいる。各プリズム２３ａは、その光軸ｏｄが互いに平行となるようにして並べられている。とりわけ図示された例において、プリズム２３ａは、その光軸ｏｄが太陽電池パネル複合体１０の法線方向Ｎと平行となるよう配置されている。
【００３９】
さらにまた、各プリズム２３ａは、その配列方向である第１軸方向ｄ１に対して直交する方向に（図２の紙面に直交する方向に）延びている。とりわけ図示された例において、プリズム２３ａは第１軸方向ｄ１および法線方向Ｎの両方と直交する紙面に直交する方向に、直線状に延びている。また拡散板２３の複数のプリズム２３ａは、互いに同一に構成されている。
【００４０】
各プリズム２３ａはプリズム面２３ｂを有し、絵柄シート１２から法線方向Ｎに向って突出している。このプリズム面２３ｂは光軸ｏｄを中心として対称となっている。
【００４１】
ところで図２に示すように、太陽電池パネル５０は、太陽電池パネル５０の入光面５０ａへ入射する光を受光して発電を行なう。
【００４２】
この場合、太陽電池パネル５０の入光面５０ａは、濃紺色や黒色の単一色からなり、環境になじまない色をもつ。
【００４３】
さらにまた、拡散板２３の各プリズム２３ａは、絵柄シート１２に一定のピッチＰをもって等間隔で配置されており、太陽電池パネル複合体１０をその法線方向Ｎからみたとき、いくつかのプリズム２３ａは絵柄領域１２ａ間に配置されている。そしてプリズム２３ａを通る光は、このプリズム２３ａにより拡散され、プリズム２３ａにより拡散された光が太陽電池パネル５０の入光面のうち絵柄領域１２ａの背面側へ導びかれる。
【００４４】
次にこのような構成からなる本実施の形態の作用について説明する。
【００４５】
まず、図２に示す太陽電池パネル複合体１０において、太陽電池パネル５０の入光面５０ａ側に絵柄シート１２が設けられているため、太陽電池パネル５０の濃紺色や黒色からなる入光面５０ａを絵柄シート１２の絵柄領域１２ａにより覆い隠すことができる。
【００４６】
一方、太陽電池パネル複合体１０に法線方向Ｎに沿って入光する平行光は、絵柄シート１２の絵柄領域１２ａにより遮光されるとともに、光透過性のシート本体１２ｂを透過して拡散板２３に入る。
【００４７】
平行光はこの拡散板２３の各プリズム２３ａにより拡散されて、太陽電池パネル５０の入光面５０ａに拡散層１５を介して入光する。
【００４８】
この場合、拡散板２３の単位レンズ２３ａにより拡散された光は太陽電池パネル５０の入光面５０ａのうち、絵柄領域１２ａで遮蔽されない領域および絵柄領域１２ａの背面側の領域を含む略全域に導びかれる。
【００４９】
一般に、太陽電池パネル５０の入光面５０ａ全域に光が入射しない場合、光が入射しない部分が抵抗となり、太陽電池パネル５０全体としての出力が低下するとともに、光が入射しない部分が抵抗となって加熱し、劣化の原因となる。
【００５０】
これに対して本実施の形態によれば、拡散板２３のプリズム２３ａにより拡散された光を、太陽電池パネル５０の入光面５０ａのうち絵柄領域１２ａで遮蔽されない領域および絵柄領域１２ａの背面側の領域を含む全領域に導くことができる。このため、太陽電池パネル５０全体としての出力低下を防ぐことができ、遮光部による劣化の問題も解消することができる。
【００５１】
＜第３の実施の形態＞
次に図３により本発明の第３の実施の形態について説明する。
【００５２】
図３に示す第３の実施の形態は、複数の単位レンズ１３ａを含む拡散板１３の代わりに、複数のプリズム（拡散要素）３３ａを含む拡散板（拡散部）３３を設けるとともに、拡散板３３の太陽電池パネル５０側の面のうちプリズム３３ａ間に複数の絵柄領域１２ａを設けたものであり、他の構成は図１に示す第１の実施の形態と略同一である。ここで複数の絵柄領域１２ａにより絵柄部１２が構成される。
【００５３】
図３に示すように、拡散板３３は複数のプリズム（拡散要素）３３ａ？を含んでいる。また拡散板３４の各プリズム３３ａは第１軸方向ｄ１に沿って並んでいる。各プリズム３３ａは、その光軸ｏｄが互いに平行となるようにして並べられている。とりわけ図示された例において、プリズム３３ａは、その光軸ｏｄが太陽電池パネル複合体１０の法線方向Ｎと平行となるよう配置されている。
【００５４】
さらにまた、各プリズム３３ａは、その配列方向である第１軸方向ｄ１に対して直交する方向に（図３の紙面に直交する方向に）延びている。とりわけ図示された例において、プリズム３３ａは第１軸方向ｄ１および法線方向Ｎの両方と直交する紙面に直交する方向に、直線状に延びている。また拡散板３３の複数のプリズム３３ａは、互いに同一に構成されている。
【００５５】
各プリズム３３ａはプリズム面３３ｂを有し、法線方向Ｎに向って太陽電池パネル５０側へ突出している。このプリズム面３３ｂは光軸ｏｄを中心として対称となっている。
【００５６】
また図３に示すように、太陽電池パネル５０は、太陽電池パネル５０の入光面５０ａへ入射する光を受光して発電を行なう。
【００５７】
この場合、太陽電池パネル５０の入光面５０ａは、濃紺色や黒色の単一色からなり、環境になじまない色をもつ。
【００５８】
さらにまた、拡散板３３の各単位プリズム３３ａは、一定のピッチＰをもって等間隔で配置されており、太陽電池パネル複合体１０をその法線方向Ｎからみたとき、プリズム３３ａは絵柄領域１２ａ間に配置されている。そしてプリズム３３ａを通る光は、このプリズム３３ａにより拡散され、プリズム３３ａにより拡散された光が太陽電池パネル５０の入光面のうち絵柄領域１２ａの背面側へ導びかれる。
【００５９】
次にこのような構成からなる本実施の形態の作用について説明する。
【００６０】
まず、図３に示す太陽電池パネル複合体１０において、太陽電池パネル５０の入光面５０ａ側に設けられた拡散板３３のうち、プリズム３３ａ間に絵柄領域１２ａが設けられているため、太陽電池パネル５０の濃紺色や黒色からなる入光面５０ａを絵柄領域１２ａにより覆い隠すことができる。
【００６１】
一方、太陽電池パネル複合体１０に法線方向Ｎに沿って入光する平行光は、絵柄領域１２ａにより遮光されるとともに、拡散板３３のプリズム３３ａに入る。
【００６２】
平行光はこの拡散板３３の各プリズム３３ａにより拡散されて、太陽電池パネル５０の入光面５０ａに拡散層１５を介して入光する。
【００６３】
この場合、拡散板３３のプリズム３３ａにより拡散された光は太陽電池パネル５０の入光面５０ａのうち、絵柄領域１２ａで遮蔽されない領域および絵柄領域１２ａの背面側の領域を含む略全域に導びかれる。
【００６４】
一般に、太陽電池パネル５０の入光面５０ａ全域に光が入射しない場合、光が入射しない部分が抵抗となり、太陽電池パネル５０全体としての出力が低下するとともに、光が入射しない部分が抵抗となって加熱し、劣化の原因となる。
【００６５】
これに対して本実施の形態によれば、拡散板３３のプリズム３３ａにより拡散された光を、太陽電池パネル５０の入光面５０ａのうち絵柄領域１２ａで遮蔽されない領域および絵柄領域１２ａの背面側の領域を含む全領域に導くことができる。このため、太陽電池パネル５０全体としての出力低下を防ぐことができ、遮光部による劣化の問題も解消することができる。
【００６６】
＜第４の実施の形態＞
次に図４により本発明の第４の実施の形態について説明する。
【００６７】
図４に示す第４の実施の形態は、複数の単位レンズ１３ａを含む拡散板１３の代わりに、複数の単位レンズ（拡散要素）４３ａを含む拡散板（拡散部）４３を設けるとともに、拡散板４３の太陽電池パネル５０側の面のうち、単位レンズ４３ａ間に複数の絵柄領域１２ａを設けたものであり、他の構成は図１に示す第１の実施の形態と略同一である。ここで複数の絵柄領域１２ａにより絵柄部１２が構成される。
【００６８】
図４に示すように、拡散板４３は複数の単位レンズ（拡散要素）４３ａを含んでいる。また拡散板４３の各単位レンズ４３ａは第１軸方向ｄ１に沿って並んでいる。各単位レンズ４３ａは、その光軸ｏｄが互いに平行となるようにして並べられている。とりわけ図示された例において、単位レンズ４３ａは、その光軸ｏｄが太陽電池パネル複合体１０の法線方向Ｎと平行となるよう配置されている。
【００６９】
さらにまた、各単位レンズ４３ａは、その配列方向である第１軸方向ｄ１に対して直交する方向に（図４の紙面に直交する方向に）延びている。とりわけ図示された例において、単位レンズ４３ａは第１軸方向ｄ１および法線方向Ｎの両方と直交する紙面に直交する方向に、直線状に延びている。また拡散板４３の複数の単位レンズ４３ａは、互いに同一に構成されている。
【００７０】
各単位レンズ４３ａはレンズ面４３ｂを有し、法線方向Ｎに向って太陽電池パネル５０側へ突出している。このレンズ面４３ｂは光軸ｏｄを中心として対称となっている。
【００７１】
また図４に示すように、太陽電池パネル５０は、太陽電池パネル５０の入光面５０ａへ入射する光を受光して発電を行なう。
【００７２】
この場合、太陽電池パネル５０の入光面５０ａは、濃紺色や黒色の単一色からなり、環境になじまない色をもつ。
【００７３】
さらにまた、拡散板１３の各単位レンズ４３ａは、一定のピッチＰをもって等間隔で配置されており、太陽電池パネル複合体１０をその法線方向Ｎからみたとき、単位レンズ４３ａは絵柄領域１２ａ間に配置されている。そして単位レンズ４３ａを通る光は、この単位レンズ４３ａにより拡散され、単位レンズ４３ａにより拡散された光が太陽電池パネル５０の入光面のうち絵柄領域１２ａの背面側へ導びかれる。
【００７４】
次にこのような構成からなる本実施の形態の作用について説明する。
【００７５】
まず、図４に示す太陽電池パネル複合体１０において、太陽電池パネル５０の入光面５０ａ側に設けられた拡散板４３のうち、単位レンズ４３ａ間に絵柄領域１２ａが設けられているため、太陽電池パネル５０の濃紺色や黒色からなる入光面５０ａを絵柄シート１２の絵柄領域１２ａにより覆い隠すことができる。
【００７６】
一方、太陽電池パネル複合体１０に法線方向Ｎに沿って入光する平行光は、絵柄領域１２ａにより遮光されるとともに、拡散板４３の単位レンズ４３ａに入る。
【００７７】
平行光はこの拡散板４３の各単位レンズ４３ａにより拡散されて、太陽電池パネル５０の入光面５０ａに拡散層１５を介して入光する。
【００７８】
この場合、拡散板４３の単位レンズ４３ａにより拡散された光は太陽電池パネル５０の入光面５０ａのうち、絵柄領域１２ａで遮蔽されない領域および絵柄領域１２ａの背面側の領域を含む略全域に導びかれる。
【００７９】
一般に、太陽電池パネル５０の入光面５０ａ全域に光が入射しない場合、光が入射しない部分が抵抗となり、太陽電池パネル５０全体としての出力が低下するとともに、光が入射しない部分が抵抗となって加熱し、劣化の原因となる。
【００８０】
これに対して本実施の形態によれば、拡散板４３の単位レンズ４３ａにより拡散された光を、太陽電池パネル５０の入光面５０ａのうち絵柄領域１２ａで遮蔽されない領域および絵柄領域１２ａの背面側の領域を含む全領域に導くことができる。このため、太陽電池パネル５０全体としての出力低下を防ぐことができ、遮光部による劣化の問題も解消することができる。
【００８１】
＜第５の実施の形態＞
次に図５により本発明の第５の実施の形態について説明する。
【００８２】
図５に示す第５の実施の形態は、複数の単位レンズ１３ａを含む拡散板１３の代わりに、複数の単位レンズ（拡散要素）５３ａを含む拡散板（拡散部）５３を設けるとともに、拡散板５３の太陽電池パネル５０と反対側の面のうち単位レンズ５３ａ間に複数の絵柄領域１２ａを設けたものであり、他の構成は図１に示す第１の実施の形態と略同一である。ここで、複数の絵柄領域１２ａにより絵柄部１２が構成される。
【００８３】
図５に示すように、拡散板５３は複数の単位レンズ（拡散要素）５３ａを含んでいる。また拡散板５３の各単位レンズ５３ａは第１軸方向ｄ１に沿って並んでいる。各単位レンズ５３ａは、その光軸ｏｄが互いに平行となるようにして並べられている。とりわけ図示された例において、単位レンズ５３ａは、その光軸ｏｄが太陽電池パネル複合体１０の法線方向Ｎと平行となるよう配置されている。
【００８４】
さらにまた、各単位レンズ５３ａは、その配列方向である第１軸方向ｄ１に対して直交する方向に（図５の紙面に直交する方向に）延びている。とりわけ図示された例において、単位レンズ５３ａは第１軸方向ｄ１および法線方向Ｎの両方と直交する紙面に直交する方向に、直線状に延びている。また拡散板５３の複数の単位レンズ５３ａは、互いに同一に構成されている。
【００８５】
各単位レンズ５３ａはレンズ面５３ｂを有し、法線方向Ｎに向って太陽電池パネル５０側へ突出している。このレンズ面５３ｂは光軸ｏｄを中心として対称となっている。
【００８６】
また図５に示すように、太陽電池パネル５０は、太陽電池パネル５０の入光面５０ａへ入射する光を受光して発電を行なう。
【００８７】
この場合、太陽電池パネル５０の入光面５０ａは、濃紺色や黒色の単一色からなり、環境になじまない色をもつ。
【００８８】
さらにまた、拡散板５３の各単位レンズ５３ａは、一定のピッチＰをもって等間隔で配置されており、太陽電池パネル複合体１０をその法線方向Ｎからみたとき、単位レンズ５３ａは絵柄領域１２ａ間に配置されている。そして単位レンズ５３ａを通る光は、この単位レンズ５３ａにより拡散され、単位レンズ５３ａにより拡散された光が太陽電池パネル５０の入光面のうち絵柄領域１２ａの背面側へ導びかれる。
【００８９】
次にこのような構成からなる本実施の形態の作用について説明する。
【００９０】
まず、図５に示す太陽電池パネル複合体１０において、太陽電池パネル５０の入光面５０ａ側に設けられた拡散板５３のうち、単位レンズ５３ａ間に絵柄領域１２ａが設けられているため、太陽電池パネル５０の濃紺色や黒色からなる入光面５０ａを絵柄シート１２の絵柄領域１２ａにより覆い隠すことができる。
【００９１】
一方、太陽電池パネル複合体１０に法線方向Ｎに沿って入光する平行光は、絵柄領域１２ａにより遮光されるとともに、拡散板５３の単位レンズ５３ａに入る。
【００９２】
平行光はこの拡散板５３の各単位レンズ５３ａにより拡散されて、太陽電池パネル５０の入光面５０ａに拡散層１５を介して入光する。
【００９３】
この場合、拡散板５３の単位レンズ５３ａにより拡散された光は太陽電池パネル５０の入光面５０ａのうち、絵柄領域１２ａで遮蔽されない領域および絵柄領域１２ａの背面側の領域を含む略全域に導びかれる。
【００９４】
一般に、太陽電池パネル５０の入光面５０ａ全域に光が入射しない場合、光が入射しない部分が抵抗となり、太陽電池パネル５０全体としての出力が低下するとともに、光が入射しない部分が抵抗となって加熱し、劣化の原因となる。
【００９５】
これに対して本実施の形態によれば、拡散板５３の単位レンズ５３ａにより拡散された光を、太陽電池パネル５０の入光面５０ａのうち絵柄領域１２ａで遮蔽されない領域および絵柄領域１２ａの背面側の領域を含む全領域に導くことができる。このため、太陽電池パネル５０全体としての出力低下を防ぐことができ、遮光部による劣化の問題も解消することができる。
【符号の説明】
【００９６】
１０  太陽電池パネル複合体
１２  絵柄シート（絵柄部）
１２ａ  絵柄領域
１３  拡散板
１３ａ  単位レンズ
１５  拡散層
２３  拡散板
２３ａ  プリズム
３３  拡散板
３３ａ  プリズム
４３  拡散板
４３ａ  単位レンズ
５０  太陽電池パネル
５０ａ  入光面
５３  拡散板
５３ａ  単位レンズ
【図１】
0006399387.tif 000002
【図２】
0006399387.tif 000003
【図３】
0006399387.tif 000004
【図４】
0006399387.tif 000005
【図５】
0006399387.tif 000006